(57)【特許請求の範囲】
【請求項１】
一方の面に正転用導体部パターンが印刷され、かつ、他方の面に逆転用導体部パターンが印刷されることを特徴とするスロットル開度センサの基板。
【請求項２】
前記正転用導体部パターンが印刷されている一方の面に、正転用抵抗体パターンが印刷されて正転用基板が選択的に形成され、また、前記逆転用導体部パターンが印刷されている他方の面に、逆転用抵抗体パターンが印刷されて逆転用基板が選択的に形成されることを特徴とする請求項１に記載のスロットル開度センサの基板。
【発明の詳細な説明】
【０００１】
【発明の属する技術分野】
本発明は、内燃機関の吸気通路に配設されるスロットルバルブの開度を検出するためのスロットル開度センサの基板に関するものである。
【０００２】
【従来の技術】
特開平３−２８１９６９号公報には、スロットルボディーのシャフトの両端にスロットル開度センサを２個取り付けてスロットル開度センサの出力異常を検出する装置が開示されている。
【０００３】
このように２個のスロットル開度センサを異なる位置に取り付けて使用する場合、２個のスロットル開度センサは、同一スロットル開度に対して同一出力を発生する必要がある。同様に、スロットルボディーのシャフトの一方または他方のいずれかにスロットル開度センサを取り付けて使用する場合、いずれの位置にスロットル開度センサを取り付けても、同一スロットル開度に対して同一出力を発生する必要がある。
【０００４】
このため、従来、パターンが左右対称に印刷された２種類の基板（例えば図１１に示す正転専用基板と図１２に示す逆転専用基板）を用い、一方の基板（正転専用基板）をシャフトの一方の位置に取り付けるスロットル開度センサ専用の基板として使用し、他方の基板（逆転専用基板）をシャフトの他方の位置に取り付けるスロットル開度センサ専用の基板として使用していた。なお、図１１において、（Ａ）は正転用導体部パターン１ａが印刷された半製品としての基板であり、▲１▼−ａは正面図、▲１▼−ｂは側面断面図、▲１▼−ｃは背面図、（Ｂ）は正転用導体部パターン印刷後、さらに正転用抵抗体パターン２ａが印刷された完成品としての基板を示し、▲２▼−ａは正面図、▲２▼−ｂは側面断面図、▲２▼−ｃは背面図であり、符号３ａ、３ｂはブラシ、ＶＣ  は入力端子、ＶＴＡ１  は第１出力端子、ＶＴＡ２  は第２出力端子、Ｅ２  はグランド端子、４は半田付け部を表している。また、図１２において、（Ａ）は逆転用導体部パターン１ｂが印刷された半製品としての基板を示し、▲１▼−ａは正面図、▲１▼−ｂは側面断面図、▲１▼−ｃは背面図、（Ｂ）は逆転用導体部パターン印刷後、さらに逆転用抵抗体パターン２ｂが印刷された完成品としての基板であり、▲２▼−ａは正面図、▲２▼−ｂは側面断面図、▲２▼−ｃは背面図である。
【０００５】
このように、従来のスロットル開度センサの基板は、正転用と逆転用の２種類の基板を使用していた。
【０００６】
また、従来、スロットル開度センサには、リニア出力センサ（図１３参照）とアイドルスイッチ付センサ（図１４参照）の２種類があり、各々のセンサは、それぞれ完全に独立して専用の基板に形成されていた。なお、図１３において、（Ａ）はリニア出力用導体部パターン１１ａが印刷された半製品としでの基板であり、▲１▼−ａは正面図、▲１▼−ｂは側面断面図、▲１▼−ｃは背面図、（Ｂ）はリニア出力用導体部パターン印刷後、さらにリニア出力用抵抗体パターン１２ａが印刷された完成品としての基板を示し、▲２▼−ａは正面図、▲２▼−ｂは側面断面図、▲２▼−ｃは背面図であり、符号１３ａ、１３ｂはブラシ、Ｖｃは入力端子、ＶＴＡ１は第１出力端子、ＶＴＡ２は第２出力端子、Ｅ２はグランド端子、１４は半田付け部を表している。また、図１４において、（Ａ）はアイドルスイッチ付導体部パターン１１ｂが印刷された半製品としての基板を示し、▲１▼−ａは正面図、▲１▼−ｂは側面断面図、▲１▼−ｃは背面図、（Ｂ）はアイドルスイッチ付導体部パターン印刷後、さらに抵抗体パターン１２ｂが印刷された完成品としての基板であり、▲２▼−ａは正面図、▲２▼−ｂは側面断面図、▲２▼−ｃは背面図であり、符号１１ｃはアイドルスイッチ、ＶＴＡは出力端子、ＩＤＬはアイドル検出端子、その他の符号は図１３の同一符号が表すものと同じものを表している。
【０００７】
このように、従来のスロットル開度センサの基板は、リニア出力用とアイドルスイッチ付の２種類の基板をそれぞれ別個に使用していた。
【０００８】
【発明が解決しようとする課題】
本発明は、上記の点にかんがみ、１種類の基板で、正転用基板と逆転用基板の共通化、リニア出力用基板とアイドルスイッチ付基板の共通化など、形状の異なるパターンが印刷された２種類の基板の共通化を図ることを目的とする。
【０００９】
【課題を解決するための手段】
請求項１の発明は、一方の面に正転用導体部パターンが印刷され、かつ、他方の面に逆転用導体部パターンが印刷されることを特徴とするスロットル開度センサの基板である。
【００１０】
請求項２の発明は、請求項１の発明において、前記正転用導体部パターンが印刷されている一方の面に、正転用抵抗体パターンが印刷されて正転用基板が選択的に形成され、また、前記逆転用導体部パターンが印刷されている他方の面に、逆転用抵抗体パターンが印刷されて逆転用基板が選択的に形成されることを特徴とするスロットル開度センサの基板である。
【００１４】
本発明によると、一方の面と他方の面とに形状の異なる導体部パターンが印刷されており、当該基板を正転用基板として使用したい場合には、正転用導体部パターンが印刷されている面に正転用抵抗体パターンを印刷することで正転用基板として使用することができ、一方、当該基板を逆転用基板として使用したい場合には、逆転用導体部パターンが印刷されている面に逆転用抵抗体パターンを印刷することで逆転用基板として使用することができる。
【００１５】
従って、１種類の基板で正転用基板と逆転用基板の共通化を図ることができるようになる。
【００１６】
【発明の実施の形態】
以下、本発明の実施の形態を図面に基づいて説明する。
【００１７】
図１は、第１実施例によるスロットル開度センサの基板の構成図、図２は、図１の基板を正転用基板として使用する場合の当該正転用基板の構成図、図３は、図１の基板を逆転用基板として使用する場合の当該逆転用基板の構成図を示し、各図において、（ａ）は正面図、（ｂ）は側面断面図、（ｃ）は背面図、図４は、正転用基板の等価回路図、図５は、逆転用基板の等価回路図を示している。
【００１８】
図１において、基板の表面には、（ａ）に示すように正転用導体部パターン１ａが印刷され、裏面には、（ｂ）に示すように逆転用導体部パターン１ｂが印刷されている。
【００１９】
そして、図１の基板を正転用基板として使用する場合には、図２に示すように、表面の正転用導体部パターン１ａの上に正転用抵抗体パターン２ａを印刷し、一方、逆転用基板として使用する場合には、図３に示すように、裏面の逆転用導体部パターン１ｂの上に逆転用抵抗体パターン２ｂを印刷する。なお、図１〜図３において、符号３ａ、３ｂはブラシ、ＶＣ  は入力端子、ＶＴＡ１  は第１出力端子、ＶＴＡ２  は第２出力端子、Ｅ２  はグランド端子、４は半田付け部を表している。
【００２０】
また、正転用基板の等価回路および逆転用基板の等価回路は、図４および図５にそれぞれ示すことができる。
【００２１】
以上説明したように、第１実施例のスロットル開度センサの基板によると、一方の面に正転用導体部パターン１ａが印刷され、他方の面に逆転用導体部パターン１ｂが印刷されているため、当該基板を正転用基板として使用したい場合には、正転用導体部パターン１ａが印刷されている面に正転用抵抗体パターン２ａを印刷することで正転用基板として使用することができ、一方、当該基板を逆転用基板として使用したい場合には、逆転用導体部パターン１ｂが印刷されている面に逆転用抵抗体パターン２ｂを印刷することで逆転用基板として使用することができる。従って、１種類の基板で正転用基板と逆転用基板の共通化を図ることができるようになる。
【００２２】
図６は、第２実施例によるスロットル開度センサの基板の構成図、図７は、図６の基板をリニア出力用基板として使用する場合の当該リニア出力用基板の構成図、図８は、図６の基板をアイドルスイッチ付基板として使用する場合の当該アイドルスイッチ付基板の構成図を示し、各図において、（ａ）は正面図、（ｂ）は側面断面図、（ｃ）は背面図、図９は、リニア出力用基板の等価回路図、図１０は、アイドルスイッチ付基板の等価回路図を示している。
【００２３】
図６において、基板の表面には、（ａ）に示すようにリニア出力用導体部パターン１１ａが印刷され、裏面には、（ｂ）に示すようにアイドルスイッチ付導体部パターン１１ｂが印刷されている。
【００２４】
そして、図６の基板をリニア出力用基板として使用する場合には、図７に示すように、表面のリニア出力用導休部パターン１１ａの上にリニア出力用抵抗体パターン１２ａを印刷し、一方、アイドルスイッチ付基板として使用する場合には、図８に示すように、裏面のアイドルスイッチ付導体部パターン１１ｂの上に抵抗体パターン１２ｂを印刷する。なお、図６〜図８において、符号１１ｃはアイドルスイッチ、１３ａ、１３ｂはブラシ、１４は半田付け部、ＶＣは入力端子、ＶＴＡ１は第１出力端子、ＶＴＡ２は第２出力端子、Ｅ２はグランド端子、ＶＴＡは出力端子、ＩＤＬはアイドル検出端子を表している。
【００２５】
また、リニア出力用基板の等価回路およびアイドルスイッチ付基板の等価回路は、図９および図１０にそれぞれ示すことができる。
【００２６】
以上説明したように、第２実施例のスロットル開度センサの基板によると、一方の面にリニア出力用導体部パターン１１ａが印刷され、他方の面にアイドルスイッチ付導体部パターン１１ｂが印刷されているため、当該基板をリニア出力用基板として使用したい場合には、リニア出力用導体部パターン１１ａが印刷されている面にリニア出力用抵抗体パターン１２ａを印刷することでリニア出力用基板として使用することができ、一方、当該基板をアイドルスイッチ付基板として使用したい場合には、アイドルスイッチ付導体部パターン１１ｂが印刷されている面に抵抗体パターン１２ｂを印刷することでアイドルスイッチ付基板として使用することができる。従って、１種類の基板でリニア出力用基板とアイドルスイッチ付基板の共通化を図ることができるようになる。
【図面の簡単な説明】
【図１】第１実施例によるスロットル開度センサの基板の構成図
【図２】前記基板を正転用基板として使用する場合の当該正転用基板の構成図
【図３】前記基板を逆転用基板として使用する場合の当該逆転用基板の構成図
【図４】正転用基板の等価回路図
【図５】逆転用基板の等価回路図
【図６】第２実施例によるスロットル開度センサの基板の構成図
【図７】前記基板をリニア出力用基板として使用する場合の当該リニア出力用基板の構成図
【図８】前記基板をアイドルスイッチ付基板として使用する場合の当該アイドルスイッチ付基板の構成図
【図９】リニア出力用基板の等価回路図
【図１０】アイドルスイッチ付基板の等価回路図
【図１１】従来の正転専用基板の構成図
【図１２】従来の逆転専用基板の構成図
【図１３】従来のリニア出力用基板の構成図
【図１４】従来のアイドルスイッチ付基板の構成図
【符号の説明】
１ａ    正転用導体部パターン
１ｂ    逆転用導体部パターン
２ａ    正転用抵抗体パターン
２ｂ    逆転用抵抗体パターン
１１ａ    リニア出力用導体部パターン
１１ｂ    アイドルスイッチ付導体部パターン
１２ａ    リニア出力用抵抗体パターン
１２ｂ    抵抗体パターン
【図１】
0003598478.tif 000002
【図２】
0003598478.tif 000003
【図３】
0003598478.tif 000004
【図４】
0003598478.tif 000005
【図５】
0003598478.tif 000006
【図６】
0003598478.tif 000007
【図７】
0003598478.tif 000008
【図８】
0003598478.tif 000009
【図９】
0003598478.tif 000010
【図１０】
0003598478.tif 000011
【図１１】
0003598478.tif 000012
【図１２】
0003598478.tif 000013
【図１３】
0003598478.tif 000014
【図１４】
0003598478.tif 000015